(57)【特許請求の範囲】
【請求項１】
獣類の捕獲空間を有し、当該捕獲空間への獣類の進入が可能なように上方が開放された獣類捕獲装置において、
前記捕獲空間を囲むように連続して配置された側面部を備え、
前記側面部の上部が前記捕獲空間側へ曲設されており、当該上部から前記捕獲空間内に垂れ壁が延設され、
当該垂れ壁の下端が、前記側面部に接することなく前記捕獲空間内に収容されるように配されている、
獣類捕獲装置。
【請求項２】
前記垂れ壁が、平板状部材で構成されている、
請求項１に記載の獣類捕獲装置。
【請求項３】
前記平板状部材が金属板である、
請求項２に記載の獣類捕獲装置。
【請求項４】
前記垂れ壁が、前記側面部側に傾斜して延設されている、
請求項１乃至３の何れかに記載の獣類捕獲装置。
【請求項５】
前記複数の側面部には開閉扉が設けられている、
請求項１乃至４の何れかに記載の獣類捕獲装置。
【請求項６】
前記側面部が、横方向に互いに連結された複数の側面ユニットにより形成されている、
請求項１乃至５の何れかに記載の獣類捕獲装置。
【発明の詳細な説明】
【技術分野】
【０００１】
本発明は、野山に生息する害獣等の獣類、特に猿を捕獲するために用いる獣類捕獲装置に関する。
【背景技術】
【０００２】
従来、野山に生息する有害鳥獣を捕獲する手段として、種々の罠及び捕獲装置が提案されている。特許文献１には、上面に開口部を有する角筒形の檻本体と、その上面に対して平行にスライド移動して当該開口部を塞ぐように付勢されたスライド扉と、当該スライド扉がスライド移動して上面の開口部を塞ぐのを防止する押止部材とを備えた動物捕獲檻が開示されている。この動物捕獲檻の場合、猿等のように活動範囲が陸上に限定されず樹上をも生活圏とする獣類であっても、檻本体の上面に設けられた開口部から檻内に誘い入れることができる。そして、獣類が檻内に進入した場合に、押止部材が作動されてスライド扉が閉まり、当該獣類を捕獲することができる。
【先行技術文献】
【特許文献】
【０００３】
【特許文献１】特開２００７−４９９０４号公報
【発明の概要】
【発明が解決しようとする課題】
【０００４】
しかしながら、上述した従来の動物捕獲檻の場合、獣類が檻内に進入するとスライド扉が閉まるため、これ以上の数を捕獲することはできず、したがって捕獲効率を高めることができない。捕獲効率を高めるために、檻内に獣類が進入した場合でもスライド扉の開扉状態を一定時間維持することとした場合では、上面の開口部から獣類が容易に逃げ出してしまうという問題が生じる。
【０００５】
本発明は斯かる事情に鑑みてなされたものであり、その主たる目的は、上記課題を解決することができる獣類捕獲装置を提供することにある。
【課題を解決するための手段】
【０００６】
上述した課題を解決するために、本発明の一の態様の獣類捕獲装置は、獣類の捕獲空間を有し、当該捕獲空間への獣類の進入が可能なように上方が開放された獣類捕獲装置において、前記捕獲空間を囲むように連続して配置された側面部を備え、前記側面部の上部が前記捕獲空間側へ曲設されており、当該上部から前記捕獲空間内に垂れ壁が延設され、当該垂れ壁の下端が、前記側面部に接することなく前記捕獲空間内に収容されるように配されている。
【０００７】
この態様において、前記垂れ壁が、平板状部材で構成されていてもよい。この場合、その平板状部材が金属板であってもよい。
【０００８】
また、この態様において、前記垂れ壁が、前記側面部側に傾斜して延設されていてもよい。
【０００９】
また、この態様において、前記複数の側面部には開閉扉が設けられていてもよい。
【００１０】
さらに、この態様において、前記側面部が、横方向に互いに連結された複数の側面ユニットにより形成されていてもよい。
【発明の効果】
【００１１】
本発明に係る獣類捕獲装置によれば、猿のような樹上生活も可能な獣類を効率良く捕獲することができる。
【図面の簡単な説明】
【００１２】
【図１】獣類捕獲装置の構成を示す斜視図。
【図２】柵ユニットの正面図。
【図３】柵ユニットの側面図。
【図４】扉ユニットの正面図。
【図５】扉ユニットの側面図。
【図６】柵部の正面図。
【図７】柵部の側面図。
【図８】ガイド枠部の正面図。
【図９】スライド扉の正面図。
【図１０】垂れ壁が取り付けられた場合の柵ユニットの側面図。
【図１１】垂れ壁が取り付けられた場合の扉ユニットの側面図。
【図１２】連結コイルによる連結方法を示す模式図。
【図１３】垂れ壁が取り付けられた場合の柵ユニットの他の例の側面図。
【図１４】垂れ壁が取り付けられた場合の柵ユニットの他の例の側面図。
【発明を実施するための形態】
【００１３】
以下、本発明の好ましい実施の形態を、図面を参照しながら説明する。
【００１４】
図１は、本実施の形態に係る獣類捕獲装置１の構成を示す斜視図である。図１に示すように獣類捕獲装置１は、横方向に並べて配設され、獣類捕獲装置１の側面部を構成する１４枚の柵ユニット１０〜１０及び２枚の扉ユニット１１，１１を備える。これらのユニットは、平面視で全体が矩形となるように配設される。なお、扉ユニット１１，１１は、図１に示すように、隣接する別の面にそれぞれ配設される。隣接するユニット同士は、それらのユニットの側縁部に連結コイル（図示せず）を巻き付けることによって連結されている。
【００１５】
上述したように各柵ユニット１０及び扉ユニット１１が連結されることにより形成された捕獲空間内には、横に長い長方形状の４枚の垂れ壁１２〜１２が配設されている。これらの垂れ壁１２〜１２は、表面が平らな金属板（例えば鉄板等）で構成されており、各柵ユニット１０及び扉ユニット１１のそれぞれの上部から垂れ下がるように延設されている。なお、隣り合う垂れ壁１２，１２は、それらの側縁間に極力隙間が生じないように、可能な限り接して配設されている。これらの隣り合う垂れ壁１２，１２の側縁同士を公知の手法で連結するようにしてもよい。
【００１６】
図１に示すとおり、獣類捕獲装置１は上部を封鎖する天井部材等は備えておらず、上方が開放されている。猿などの樹上生活が可能な獣類は、このように上方に設けられている開口部から獣類捕獲装置１の内部へ進入することができる。
【００１７】
また、獣類捕獲装置１は、扉ユニット１１，１１から獣類捕獲装置１内部への獣類の進入を検知する４つのセンサＳ〜Ｓと、これらのセンサＳ〜Ｓによる検知に基づいて扉ユニット１１，１１を閉鎖する制御部（図示せず）とを備えている。センサＳ〜Ｓは、獣類捕獲装置１の外部に、扉ユニット１１を挟むように、各扉ユニット１１，１１に２つずつ配設される。このように配設された２つのセンサＳ，Ｓの間を獣類が通過することで、センサＳ，Ｓは獣類捕獲装置１内部への獣類の進入を検知することができる。
【００１８】
次に、各ユニットの構成について説明する。なお、以下の説明において、各ユニットを配設し、獣類捕獲装置１を組み立てたときに、各ユニットにおいて獣類捕獲装置１の外側を向く面をユニットの前面、獣類捕獲装置１の内側を向く面をユニットの後面と定義する。また、各ユニットを配設し、獣類捕獲装置１を組み立てたときに、各ユニットにおいて地面と接する側をユニットの下側、それとは反対側をユニットの上側と定義する。
【００１９】
柵ユニット１０の構成について説明する。図２は柵ユニット１０の正面図、図３は柵ユニット１０の側面図である。柵ユニット１０は、直径６ｍｍの鉄線が等間隔になるよう縦横に直角に配設され、配設された鉄線の各交点が溶接された溶接金網１０ａと、溶接金網１０ａを挟むように配設され、溶接金網１０ａに溶接される直径１０ｍｍの連結鉄筋線１０ｂ，１０ｂとを備えるパネル状ユニットである。溶接金網１０ａの大きさは、横１０００ｍｍ、縦２５００ｍｍである。連結鉄筋線１０ｂ，１０ｂの長さは、２５００ｍｍであり、溶接金網１０ａの長辺側両端に沿って溶接される。柵ユニット１０の下部は、下端から３００ｍｍの位置でユニットの後面に向かって直角に屈曲しており、屈曲部１０ｃを構成している。また、柵ユニット１０の上部は、上端から７００ｍｍの位置でユニットの後面に向かって４５°傾斜しており、傾斜部１０ｄを構成している。
【００２０】
次に、扉ユニット１１の構成について説明する。図４は扉ユニット１１の正面図、図５は扉ユニット１１の側面図である。扉ユニット１１は柵ユニット１０の下部を開口し、当該開口した部分が開閉可能なように扉を取り付けたユニットであって、柵を構成する柵部１１０と、柵部１１０と連結することによって、柵部１１０との間に扉のガイドを構成するガイド枠部１１１と、柵部１１０とガイド枠部１１１とを連結する６つのブラケット１１２〜１１２と、連結された柵部１１０及びガイド枠部１１１に沿って昇降することが可能なスライド扉１１３とを備えている。
【００２１】
図６は柵部１１０の正面図、図７は柵部１１０の側面図である。柵部１１０は、直径６ｍｍの鉄線が等間隔になるよう縦横に直角に配設され、配設された鉄線の各交点が溶接された溶接金網１１０ａと、直径１０ｍｍの連結鉄筋線１１０ｂ，１１０ｂと、溶接金網１１０ａ及び連結鉄筋線１１０ｂ，１１０ｂが溶接される枠組となる縦アングル１１０ｅ，１１０ｅ及び横アングル１１０ｆ，１１０ｆと、スライド扉１１３を昇降するための開閉トリガＴとを有する。縦アングル１１０ｅのサイズはＬ３×４０×４０×２０００であり、横アングル１１０ｆのサイズはＬ３×４０×４０×１０００である。横アングル１１０ｆ，１１０ｆは、縦アングル１１０ｅ，１１０ｅの中間部分及び下端のそれぞれに溶接される。これにより、縦アングル１１０ｅ，１１０ｅ及び横アングル１１０ｆ，１１０ｆは、柵部１１０の枠組となる。
【００２２】
溶接金網１１０ａの大きさは、縦１２００ｍｍ、横１０００ｍｍであり、柵部１１０の枠組の上部に溶接される。ここで、枠組に溶接されるのは、溶接金網１１０ａの下部７００ｍｍのみであり、溶接金網１１０ａの上部５００ｍｍは、枠組と溶接されず、ユニットの後面に向かって４５°傾斜した傾斜部１１０ｄを構成する。柵部１１０の下部は開口しており、捕獲対象となる獣類が侵入するための侵入部１１０ｇを構成する。また、連結鉄筋線１１０ｂ，１１０ｂは、縦アングル１１０ｅ，１１０ｅそれぞれに溶接される。また、縦アングル１１０ｅ，１１０ｅの中間部分に溶接された横アングル１１０ｆには、開閉トリガＴが配設される。
【００２３】
開閉トリガＴは、プル型ソレノイドを備えている。このプル型ソレノイドは、プランジャと呼ばれる可動鉄棒を有しており、当該プランジャは、プル型ソレノイドに電流が流れてない場合には突出した状態を維持し、電流が流れるとプル型ソレノイド内部に吸引される。本実施の形態では、鹿又は猪等の陸上を生活圏とする獣類を捕獲対象とする場合、初期の状態においてはプル型ソレノイド外に突出したプランジャがスライド扉１１３を保持し、プル型ソレノイドに電流が流れた場合に、スライド扉１１３を保持しているプランジャがプル型ソレノイド内部に吸引されてスライド扉１１３が落下することにより、スライド扉１１３の閉動作が行われる。
【００２４】
図８はガイド枠部１１１の正面図である。ガイド枠部１１１は、縦アングル１１１ａ，１１１ａ及び横アングル１１１ｂ，１１１ｂを有する。縦アングル１１１ａのサイズは、Ｌ５×４０×４０×１２００ｍｍであり、横アングル１１１ｂのサイズは、Ｌ５×４０×４０×１０００ｍｍである。ここで、横アングル１１１ｂ，１１１ｂは、縦アングル１１１ａ，１１１ａの上端から２００ｍｍの位置及び下端のそれぞれに溶接される。
【００２５】
ガイド枠部１１１は、柵部１１０の侵入部１１０ｇの前面に配設され、ガイド枠部１１１と柵部１１０とは、ブラケット１１２により連結される。このとき、ガイド枠部１１１と柵部１１０とは、約２０ｍｍ程度の間隙を空けて連結される。この間隙はスライド扉１１３のガイドとして機能する。
【００２６】
図９はスライド扉１１３の正面図である。スライド扉１１３は、直径６ｍｍの鉄線が等間隔になるよう縦横に直角に配設され、配設された鉄線の各交点が溶接された溶接金網１１３ａと、溶接金網１１３ａを補強する直径１０ｍｍの鉄筋線１１３ｂとを有する。溶接金網１１３ａの大きさは、縦１０１０ｍｍ、横１０００ｍｍである。鉄筋線１１３ｂは、溶接金網１１３ａの四辺を取り囲むようにして、溶接金網１１３ａに溶接される。スライド扉１１３は、柵部１１０及びガイド枠部１１１それぞれの縦アングルに沿って昇降可能なように、柵部１１０とガイド枠部１１１との間に設けられた間隙に配設される。
【００２７】
本実施の形態の獣類捕獲装置１の場合、このような扉ユニット１１を設けることにより、陸上を生活圏とする獣類を捕獲対象とすることもできる。なお、猿のように樹上生活をも生活圏とする獣類を捕獲対象とする場合、獣類捕獲装置１は、扉ユニット１１のスライド扉１１３が閉められた状態で使用されることになる。陸上を生活圏とする獣類を捕獲対象とする必要がない場合は扉ユニット１１を設けずに柵ユニット１０のみで側面部を形成することも可能であるが、餌を置くため等の目的で作業員が獣類捕獲装置１に出入りする必要があるため、扉を有する側面用のユニットを設けておくことが望ましい。
【００２８】
図１０及び図１１はそれぞれ、垂れ壁１２が取り付けられた場合の柵ユニット１０及び扉ユニット１１の側面図である。これらの図１０及び図１１に示すとおり、各垂れ壁１２は、柵ユニット１０の傾斜部１０ｄ及び扉ユニット１１の傾斜部１１０ｄの上端部から鉛直方向下方に延びるように設けられている。ここで、各垂れ壁１２は、柵ユニット１０の傾斜部１０ｄ及び扉ユニット１１の傾斜部１１０ｄに着脱可能な態様で固定されている。垂れ壁１２の長さは、柵ユニット１０及び扉ユニット１１の長さの３分の２程度である。なお、垂れ壁１２は、上記のように傾斜部１０ｄ，１１０ｄの上端部からではなく、傾斜部１０ｄ，１１０ｄの中途から下方に延設されていてもよい。
【００２９】
猿などの樹上生活が可能な獣類が上方から獣類捕獲装置１内に進入した場合、上述したような垂れ壁１２が設けられていないと、柵ユニット１０又は扉ユニット１１をよじ登って外部へ逃げ出してしまうおそれがある。これに対して、本実施の形態のように垂れ壁１２を設けた場合、獣類が柵ユニット１０又は扉ユニット１１をよじ登ったとしても、その上方は柵ユニット１０の傾斜部１０ｄ又は扉ユニット１１の傾斜部１１０ｄと垂れ壁１２とで閉塞されているため、外部へ逃げ出すことはできない。また、その獣類が、飛び跳ねることにより垂れ壁１２の内側の面に到達したとしても、鉄板で構成された垂れ壁１２には把持可能な箇所が存在しないため滑ってしまい、その内側の面をよじ登ることができない。これにより、獣類捕獲装置１内に進入した獣類を確実に捕獲することが可能になる。
【００３０】
本実施の形態の獣類捕獲装置１の場合、上記のとおり上方が開放された状態で獣類の捕獲を行うことができるため、複数の獣類を捕獲することができる。これにより、従来よりも捕獲効率を高めることができる。なお、このように、獣類の外部への脱出を防ぐための天部材等を設ける必要がない場合、装置の軽量化及び低コスト化を図れる等の利点もある。
【００３１】
また、本実施の形態では、任意の数の柵ユニット１０及び扉ユニット１１を自在に連結することが可能であり、柵ユニット１０又は扉ユニット１１の数を増減することにより、獣類捕獲装置１のサイズ又は形状を容易に変更することができる。さらに、各ユニットに分解することが可能であるため、装置自体を容易に移動させることができる。
【００３２】
また、本実施の形態では、柵ユニット１０の下部にはユニットの後面に向かって屈曲した屈曲部１０ｃが設けられており、この屈曲部１０ｃが、獣類捕獲装置１内に捕獲された獣類が穴を掘り、獣類捕獲装置１から脱出するのを防ぐ。これにより、獣類捕獲装置１の底部に、別途、獣類の脱出を防ぐための底部材等を設ける必要がなく、装置を軽量化することができる。
【００３３】
また、本実施の形態では、扉ユニット１１，１１が２つ備えられている。このため、進入部１１０ｇも、扉ユニット１１と同様に２つ設けられる。このように複数の進入部を設けることで、それぞれの進入部から陸上を生活圏とする獣類を獣類捕獲装置１内に誘い入れることができ、効率的に獣類を捕獲することができる。なお、これらの扉ユニット１１，１１は、隣接する別の面にそれぞれ配設されているため、扉ユニットの１１，１１それぞれの進入部１１０ｇ，１１０ｇは、それぞれ別の方向を向いている。これにより、複数の方向から獣類を獣類捕獲装置１内に誘い入れることができ、効率的に獣類を捕獲することができる。
【００３４】
上記のような構成の獣類捕獲装置１の使用方法について、以下に説明する。
まず、各ユニットの連結方法について説明する。設置者は、隣接する柵ユニット１０，１０それぞれの連結鉄筋線１０ｂ，１０ｂに各ユニットを連結するための連結部材である連結コイル１３を巻き付ける。これにより、連結鉄筋線１０ｂ，１０ｂが結束され、当該柵ユニット１０，１０が連結される（図１２を参照）。また、設置者は、隣接する柵ユニット１０及び扉ユニット１１についても、同様にしてそれぞれの連結鉄筋線１０ｂ，１１０ｂに連結コイル１３を巻き付ける。これにより、連結鉄筋線１０ｂ，１１０ｂが結束され、当該柵ユニット１０及び扉ユニット１１が連結される。
【００３５】
このように、本実施の形態では、各ユニットは、連結鉄筋線を連結部材で結束することにより連結される。このため、容易に且つ短時間で組み立てたり、分解したりすることができる。
【００３６】
また、本実施の形態では、各側縁部が連結部材により結束されているだけであるため、従来用いられているボルト止め又は通し部材等による連結のように堅固なものではなく、ある程度の弾力を有する弾性的な連結となる。このように、隣接する各ユニットそれぞれの側縁部は弾性的に連結されるため、獣類捕獲装置１全体は軟構造となる。これにより、獣類捕獲装置１内に捕獲された獣類が、獣類捕獲装置１内から脱出するために暴れ、側面部に衝撃が加わったとしても、各ユニットの連結箇所で当該衝撃を吸収することができ、獣類捕獲装置１の大きな変形や破損等を防ぐことができる。
【００３７】
また、従来用いられているボルト止め又は通し部材等の連結部材による連結の場合、堅固に各構成部材を連結するために、構成部材に強い衝撃が加わる等によって周縁部が変形すると、それに伴って連結部材も変形してしまい、解体が困難となってしまう。一方、本実施の形態では、連結部材は連結鉄筋線を結束しているだけであるため、連結鉄筋線に変形が生じた場合であっても、連結部材は当該変形に対応して回転等の移動をすることが可能である。これにより、連結鉄筋線が変形した場合でも、連結部材が大きく変形することを防ぐことができる。また、たとえ連結部材が大きく変形してしまった場合であっても、当該連結部材は連結鉄筋線を結束するように連結鉄筋線に巻き付けられているだけであるため、容易に取り外すことができる。
【００３８】
以上のようにして各ユニットが連結された後に、設置者は、柵ユニット１０の屈曲部１０ｃにペグを打ち込む。これにより、柵ユニット１０が地面に固定される。また、このようにして全ての柵ユニット１０〜１０が地面に固定されることによって、柵ユニット１０と連結された扉ユニット１１も固定されることになる。
【００３９】
また、設置者は、獣類捕獲装置１の４側面の各面において、隣り合う柵ユニット１０の傾斜部１０ｄ及び扉ユニット１１の傾斜部１１０ｄの上端部に対し、垂れ壁１２の長さ方向の一端部を取り付ける。この取り付けは公知の手法で行われる。
【００４０】
次に、上記のようにして設置した獣類捕獲装置１の獣類捕獲動作について説明する。上述したとおり、猿などの樹上生活を行う獣類を捕獲対象とする場合では、各扉ユニット１１，１１におけるスライド扉１１３，１１３を閉状態としておく。この場合、獣類捕獲装置１の上方の開口部から獣類捕獲装置１内へ獣類が進入する。このようにして進入した獣類は、上述したように垂れ壁１２の存在により外部へ逃げ出すことができず、捕獲されることになる。
【００４１】
また、鹿及び猪などの陸上生活を行う獣類を捕獲対象とする場合における獣類捕獲装置１の獣類捕獲動作は次のとおりである。
各扉ユニット１１，１１に設置された開閉トリガＴ，Ｔと各扉ユニット１１，１１の前面に設置されたセンサＳ〜Ｓとは、制御部を介して電気的に接続されている。スライド扉１１３は、開閉トリガＴの有するプル型ソレノイドのプランジャによって開状態で保持されるように設置される。ここで、扉ユニット１１の前面に設置されたセンサＳ，Ｓの間を獣類が通過し、センサＳ，Ｓが獣類捕獲装置１内部への獣類の進入を検知すると、センサＳ，Ｓは制御部に対して電気信号を発信する。制御部は当該電気信号を受信すると、各扉ユニット１１，１１に設置された開閉トリガＴ，Ｔに対して電流を流す。これにより、開閉トリガＴ，Ｔに設けられたプル型ソレノイドのプランジャが当該プル型ソレノイド内に収納される。その結果、各プランジャが保持していたスライド扉１１３，１１３が落下し、獣類捕獲装置１内部に進入した獣類が捕獲されることになる。
【００４２】
（その他の実施の形態）
上述した実施の形態では、垂れ壁１２が柵ユニット１０の傾斜部１０ｄ及び扉ユニット１１の傾斜部１１０ｄの上端部から鉛直方向下方に延びるように設けられているが、柵ユニット１０及び扉ユニット１１側に所定の角度傾斜して設けるようにしてもよい。図１３は、このように垂れ壁１２が傾斜して延設される場合の柵ユニット１０の側面図である。図１３に示すように、垂れ壁１２は、柵ユニット１０の傾斜部１０ｄの上端部から下方に向けて、柵ユニット１０側に傾斜しながら延設されている。垂れ壁１２の下端縁の複数箇所には、縦長の木材などで構成される支持棒１４の一端が接続されている。この支持棒１４は、垂れ壁１２と同一の角度傾斜しており、その他端は地面に固定されている。このようにして複数の支持棒１４によって支持されることにより、垂れ壁１２はその傾斜角度を維持したまま固定される。なお、扉ユニット１１においても同様に、垂れ壁１２が扉ユニット１１側に傾斜して延設される。上方から獣類捕獲装置１内に進入した獣類は、飛び跳ねることにより垂れ壁１２の内側（柵ユニット１０側と反対側）の面に到達した上で、当該面を踏み台として利用して更に上方に飛び跳ねて、上方の開口部から脱出を試みることが想定される。上述したように垂れ壁１２が柵ユニット１０及び扉ユニット１１側に傾斜されて設けられていると、垂れ壁１２の内側の面が下方を向くことになる。これにより、その垂れ壁１２の内側の面を踏み台として上方に向かって飛び跳ねることが困難となるため、獣類が上記のとおり脱出を試みたとしても、外部へ逃げ出すことを防止することができる。なお、垂れ壁１２の固定は、支持棒１４以外の他の手段によってなされていてもよい。
【００４３】
また、上述した実施の形態では、垂れ壁１２が柵ユニット１０の傾斜部１０ｄ及び扉ユニット１１の傾斜部１１０ｄに接続されているが、本発明はこの態様に限定されるわけではなく、柵ユニット１０及び扉ユニット１１の上部が捕獲空間側へ曲設されていて、その上部から垂れ壁１２が設けられていればよい。そのため、例えば、柵ユニット１０及び扉ユニット１１がその上部にユニットの後面に向かって直角に屈曲する屈曲部を備え、その屈曲部の端部に垂れ壁１２が接続されるような構成であってもよい。図１４は、このように垂れ壁１２が屈曲部に接続される場合の柵ユニット１０の側面図である。図１４に示すように、柵ユニット１０は、傾斜部１０ｄの代わりに、柵ユニット１０の後面に向かって直角に屈曲する屈曲部１０ｅを備えており、その屈曲部１０ｅの端部から垂れ壁１２が鉛直方向下方に延設されている。このような構成であっても、上記の実施の形態と同様に、獣類捕獲装置１の上方から進入した獣類の脱出を防止することができる。なお、この構成において垂れ壁１２が柵ユニット１０側に傾斜して設けられていてもよい。
【００４４】
なお、上述した実施の形態で示した柵ユニット１０、扉ユニット１１及び垂れ壁１２などの各部材の数・サイズ及び形状等は例示に過ぎず、適宜変更可能である。これらの数・サイズ及び形状等は、獣類捕獲装置１が設置される地形の形状、並びに捕獲対象の獣類のサイズ及び性質など、各種要因に応じて決定される。また、獣類捕獲装置１の形状も同様に適宜変更することができる。例えば、上述した実施の形態では柵ユニット１０及び扉ユニット１１が平面視で矩形となるように配設されているが、本発明はこれに限定されるものではない。例えば、獣類捕獲装置１を設置する場所の地形の形状又は状態に応じて、円形又は三角形等、他の形状となるように柵ユニット１０及び扉ユニット１１が配設されていてもよい。その場合、垂れ壁１２も曲面を有する金属板で構成される等、適宜の形状に変更される。
【００４５】
また、上述した実施の形態では、垂れ壁１２が金属板で構成されているが、内側の面の表面が比較的平らな部材であれば他のもので構成されていてもよい。具体的には、樹脂板又はガラス板等で垂れ壁１２が構成されていてもよい。
【００４６】
また、上述した実施の形態では、柵ユニット１０及び扉ユニット１１は、サイズ及び形状が同一のものを用いているが、本発明はこれに限定されるものではなく、複数のユニットをそれぞれ連結し、組み立てることが可能であれば、サイズ又は形状の違うユニットを用いてもよい。
【００４７】
また、上述した実施の形態では、柵ユニット１０及び扉ユニット１１は、連結鉄筋線に連結コイル１３を巻き付けることで連結しているが、本発明はこれに限定されるものではない。例えば、各ユニットを連結することができるのであれば、ワイヤークリップ、シャックル、又はクランプ等を用いて連結されていてもよい。ここで、ワイヤークリップ、シャックル、又はクランプ等は取り付ける際にねじ締め等の手順が必要となるが、連結コイルを用いる場合は単純に連結鉄筋線に当該連結コイルを巻き付けるだけでよく、他の方法と比較して、より容易且つ短時間で組み立て又は分解をすることができる。このため、各ユニットを連結するための連結部材としては、連結コイル等のような螺旋状のものを用いることが望ましい。
【００４８】
また、上述した実施の形態では、柵ユニット１０及び扉ユニット１１に、鉄線を組み合わせた溶接金網を用いているが、本発明はこれに限定されるものではない。例えば、獣類捕獲装置１内に捕獲された獣類が脱出しないよう構成されているのであれば、溶接金網を用いている部位に、複数の鉄棒を配設することで、鉄柵を構成するようにしてもよい。しかし、複数の鉄棒を配設して鉄柵を構成する等の場合、溶接金網を用いた場合と比較して、各ユニットの重量が重くなってしまうため、溶接金網を用いることが望ましい。
【００４９】
また、上述した実施の形態では、柵ユニット１０及び扉ユニット１１の上部に設けられた傾斜部は、４５°傾斜するよう構成されているが、本発明はこれに限定されるものではなく、獣類捕獲装置内に捕獲された獣類がユニットを飛び越えて脱出することを防ぐことができるのであれば、角度は問わない。
【００５０】
また、上述した実施の形態では、扉ユニット１１は、柵ユニット１０下部の進入部１１０ｇを、スライド扉１１３を昇降させることで開閉するよう構成されているが、本発明はこれに限定されるものではない。例えば、柵ユニットの一部を開閉することができるのであれば、開き戸又は引き戸等のような構成であってもよい。
【００５１】
また、上述した実施の形態では、扉ユニット１１，１１は、隣接する別の面にそれぞれ配設されるが、本発明はこれに限定されるものではなく、獣類捕獲装置内に獣類を誘い入れることができるのであれば、対向する面又は同一の面等にそれぞれ配設されていてもよい。
【００５２】
また、上述した実施の形態では、扉ユニット１１は、２つ備えられているが、本発明はこれに限定されるものではなく、陸上生活をする獣類を獣類捕獲装置１内に誘い入れることができるよう、少なくとも１つ以上備えられていればよい。
【００５３】
また、上述した実施の形態では、センサＳ〜Ｓは、扉ユニット１１の前面に配設されているが、本発明はこれに限定されるものではなく、獣類捕獲装置１内への獣類の進入を検知することができるのであれば、扉ユニット１１の後面又は上部等、どのような位置に配設されていてもよい。
【００５４】
また、上述した実施の形態では、扉ユニット１１の開閉には開閉トリガＴとセンサＳを用いているが、本発明はこれに限定されるものではない。例えば、スライド扉をワイヤ及び滑車を用いて昇降できるよう構成しておき、当該ワイヤを獣類捕獲装置１内に設置した仕掛けと連動させ、当該仕掛けに獣類が触れるとスライド扉が落ち、進入部を閉鎖するように構成されていてもよい。または、当該ワイヤ及び滑車を用いて、人が任意のタイミングで進入部を閉鎖できるように構成されていてもよい。
【産業上の利用可能性】
【００５５】
本発明の獣類捕獲装置は、獣類を捕獲するための獣類捕獲装置として有用である。
【符号の説明】
【００５６】
１    獣類捕獲装置
１０    柵ユニット
１１    扉ユニット
１２    垂れ壁
１３    連結コイル
１４    支持棒
１０ａ，１１０ａ，１１３ａ    溶接金網
１０ｂ，１１０ｂ    連結鉄筋線
１０ｃ    屈曲部
１０ｄ，１１０ｄ    傾斜部
１０ｅ    屈曲部
１１０    柵部
１１１    ガイド枠部
１１２    ブラケット
１１３    スライド扉
１１０ｅ，１１１ａ    縦アングル
１１０ｆ，１１１ｂ    横アングル
１１３ｂ    鉄筋線
Ｔ    開閉トリガ
Ｓ    センサ
【要約】
【課題】  猿などの樹上生活が可能な獣類を捕獲することができる獣類捕獲装置を提供する。
【解決手段】
獣類捕獲装置１は、獣類の捕獲空間を有し、当該捕獲空間への獣類の進入が可能なように上方が開放されている。この捕獲空間は、柵ユニット１０及び扉ユニット１１が横方向に連結されることにより形成されている。これらの柵ユニット１０及び扉ユニット１１の上部は捕獲空間側へ曲設されており、その上部から捕獲空間内に垂れ壁１２が延設されている。
【選択図】図１【図１】
0005543009.tif 000002
【図２】
0005543009.tif 000003
【図３】
0005543009.tif 000004
【図４】
0005543009.tif 000005
【図５】
0005543009.tif 000006
【図６】
0005543009.tif 000007
【図７】
0005543009.tif 000008
【図８】
0005543009.tif 000009
【図９】
0005543009.tif 000010
【図１０】
0005543009.tif 000011
【図１１】
0005543009.tif 000012
【図１２】
0005543009.tif 000013
【図１３】
0005543009.tif 000014
【図１４】
0005543009.tif 000015